(57)【特許請求の範囲】
【請求項１】
断面が四角形に形成されている棒状の本体の内部には伝送信号を分岐及び分配するための回路手段を有し，本体の外壁には伝送経路を介して前記回路手段と他の機器に接続するための複数の同軸接栓座を有する分岐及び分配器において，
該分岐及び分配器の本体に備えられた前記複数の同軸接栓座の突出方向は，本体の表面において各同軸接栓座の軸線が、本体の長手方向に向けて並んだ状態で、並行配置されるように同じ方向を向けて配列し、
上記本体における同軸接栓座の配列方向の両端部の外周面の形状は四角に形成し、
一方、本体における同軸接栓座の配列方向の両端部に対して夫々着脱自在に嵌合させる着脱部と，取付面に固着するための固定部とを備える一対の本体支持台を備え、
上記各本体支持台の着脱部には、上記本体の端部を夫々抜き差し自在に装着するために本体の端部における四角な外周面に対応させた四角な内周面が形成されている凹部を備えさせ、
上記各本体支持台の着脱部における凹部の四角な内周面と、上記本体の端部における四角な外周面の形状は、上記本体の両端部を上記各本体支持台の着脱部における凹部に対して差し込んだ状態で上記各本体支持台を取付面に装着する場合、上記本体の底面、外周側面の一面又は外周側面の他面の３面の内のいずれかの一つの面を選択的に取付面に並行する状態に向けて装着可能に、夫々正方形にしてあり、
上記一対の本体支持台の固定部は、上記一対の本体支持台の各着脱部を本体における両端部に対して夫々装着した状態において、上記取付面に固着できるようにしてあることを特徴とする分岐及び分配器。
【発明の詳細な説明】
【技術分野】
【０００１】
本発明は，主にテレビ共同受信システムに利用される分岐及び分配器に関し，詳しくはその分岐及び分配器の構造に関する。
【背景技術】
【０００２】
従来の分岐及び分配器は，金属ケース内に分岐回路若しくは分配回路を収納させ，前記金属ケースを設置すべき壁面に取付けた場合に，この回路に接続された複数個の入出力接栓座を前記ケースの上面と下面となる外壁に突設されており，また，前記金属ケースの両側端部から背面に突出するように形成された取付板で前記壁面に取付けする構成となっていた。
（例えば，特許文献１参照）
【０００３】
【特許文献１】実開昭５８−５０７２４号公報
【発明の開示】
【発明が解決しようとする課題】
【０００４】
しかし，従来の分岐及び分配器によると，該分岐及び分配器を収容ボックス等の設置範囲が限られており，且つ，狭い場所に設置するような場合，入出力接栓座が上面と下面とに分かれて配設されているため，それぞれの接栓座に接続された同軸ケーブルを所定の方向に配設するためには，該同軸ケーブルの最小曲げ半径を考慮しながら曲げて配設する場合が生じ，分岐及び分配器の周辺には同軸ケーブルを曲げて配線するだけのスペースが必要となり，前記収容ボックスの設置面を占める割合が大きくなり，他の機器を取付けるスペースが狭くなるといった問題があった。
また地上ディジタル放送の開始，液晶やＰＤＰからなる薄型テレビ受信機の普及に伴い，テレビ端子からの信号を分配する分配器等は，テレビ受信機の背面等に置いておくだけでなく，テレビ背面やＡＶラック等に収納して，スッキリとした配線を望まれる場合が多くなり，従来の構成では設置が困難になるといった問題があった。
そこで本願においては，こうした問題点を解決するためになされたものであり，
その目的は，狭い場所でも取り付けの容易な分岐及び分配器を提供することにある。
他の目的は，配線方向を選択自在な分岐及び分配器を提供することにある。
他の目的は，安価で作業性のよい分岐及び分配器を提供することにある。
他の目的は，金型コストの安価であって，汎用性の高い分岐及び分配器を提供することにある。
【課題を解決するための手段】
【０００５】
本件の発明は、断面が四角形に形成されている棒状の本体の内部には伝送信号を分岐及び分配するための回路手段を有し，本体の外壁には伝送経路を介して前記回路手段と他の機器に接続するための複数の同軸接栓座を有する分岐及び分配器において，
該分岐及び分配器の本体に備えられた前記複数の同軸接栓座の突出方向は，本体の表面において各同軸接栓座の軸線が、本体の長手方向に向けて並んだ状態で、並行配置されるように同じ方向を向けて配列し、
上記本体における同軸接栓座の配列方向の両端部の外周面の形状は四角に形成し、
一方、本体における同軸接栓座の配列方向の両端部に対して夫々着脱自在に嵌合させる着脱部と，取付面に固着するための固定部とを備える一対の本体支持台を備え、
上記各本体支持台の着脱部には、上記本体の端部を夫々抜き差し自在に装着するために本体の端部における四角な外周面に対応させた四角な内周面が形成されている凹部を備えさせ、
上記各本体支持台の着脱部における凹部の四角な内周面と、上記本体の端部における四角な外周面の形状は、上記本体の両端部を上記各本体支持台の着脱部における凹部に対して差し込んだ状態で上記各本体支持台を取付面に装着する場合、上記本体の底面、外周側面の一面又は外周側面の他面の３面の内のいずれかの一つの面を選択的に取付面に並行する状態に向けて装着可能に、夫々正方形にしてあり、
上記一対の本体支持台の固定部は、上記一対の本体支持台の各着脱部を本体における両端部に対して夫々装着した状態において、上記取付面に固着できるようにしてある。
【発明の効果】
【０００６】
以上のように本発明によれば、本体支持台の着脱部には、上記本体の端部を夫々抜き差し自在に装着するために本体の端部における四角な外周面に対応させた四角な内周面が形成されている凹部を備えさせ、
上記各本体支持台の着脱部における凹部の四角な内周面と、上記本体の端部における四角な外周面の形状は、上記本体の両端部を上記各本体支持台の着脱部における凹部に対して差し込んだ状態で上記各本体支持台を取付面に装着する場合、上記本体の底面、外周側面の一面又は外周側面の他面の３面の内のいずれかの一つの面を選択的に取付面に並行する状態に向けて装着可能に、夫々正方形にしてあり、
上記一対の本体支持台の固定部は、上記一対の本体支持台の各着脱部を本体における両端部に対して夫々装着した状態において、上記取付面に固着できるようにしたものであるから、
図からも理解できるように、本体１０を設置すべき面４０に対して、本体１０の底面、外周側面の一面又は外周側面の他面の内の一つの面を選択的に取付面４０に対して並行する状態に向けて、上記本体１０を取付面４０に固着できる利便性がある。このことは、図７からも理解できるように、本体１０における複数の同軸接栓座11a〜11eの内の任意の一つが、入力接栓座（テレビ端子５６に接続される接栓座）として特定されている場合であっても、支障なくその利便性を発揮する利用上の効果がある。
【発明を実施するための最良の形態】
【０００７】
以下に，本発明を具体化した実施形態の例を図面を基に詳細に説明する。
図１は分岐及び分配器の本体を示す斜視図である。図２は分岐及び分配器の本体の異なる実施例を示す。図３は本発明に係る分岐及び分配器の実施形態を示す斜視図である。図４は本発明に係る分岐及び分配器の異なる使用例を示す。図５は本発明に係る分岐及び分配器の異なる実施例を示す。図６は図３に示すＡ−Ａ線方向から見たときの側面図を示し，本体の取付方向による使用例を示す。図７は本発明の分岐及び分配器を使用したテレビ受信システムのシステム例を示す。
【実施例１】
【０００８】
図１から５に示す１は本発明に係る分岐及び分配器であり，以下には説明を容易とするため特に明記しない限り分配器として記載する。
この図において，１０は、図示のように断面が四角形に形成されている棒状の本体であり，例えばアルミダイカストを金型で成形したものである。この本体１０は図示されていないが該本体１０の底面（図１〜３によれば表面１１とは反対側に位置する底面）を開口した箱状に形成されており。この開口部には，金属製材料（例えばアルミ材）を用いた蓋体を圧入等で固着する構造として，蓋体と本体１０とを強固に固着すると共に，外部からの妨害波等の侵入を低減するように構成されている。この本体１０の内部には図示されてはいないが，分配回路（分岐器の場合は分岐回路）が形成されたプリント基板等からなる回路手段が収納されている。
また，この本体１０の表面１１には，前記本体１０と一体に成形された複数のＦ型接栓座１１ａから１１ｅが，図１〜３に表れているように該接栓座11a〜11eの軸線が表面１１と直交する方向に突設されており，前記回路手段と他の機器とを周知のように夫々同軸ケーブルを介して接続できるように構成されている。
このように接栓座が全て同一方向を向いて形成されているので，金型構造が簡単となり，延いては製品のコストを安くすることができる。
【０００９】
また図２において、前記本体１０における同軸接栓座の最も外側に配設され同軸接栓座（11aと11e）と、同軸接栓座11a〜11eの配列方向に位置する両側面１２、１３との間の両端部には、図２に示す如く前記表面１１から底面方向に形成した取付孔15bと，当該取付孔15bに直交する方向に形成した取付孔15aを形成している。この取付孔15a，15bは，本体１０を設置すべき取付面４０（例えば図５の取付面４０参照）に固着する事ができるようにするためのものであり，例えば木ネジ等を取付孔15a、15bに挿入して，該木ネジを取付面４０に螺着することによって本体１０を取付面４０に固着する。また，取付孔15a，15bは図２に表れているように２方向に形成してある。
図２の一方の取付孔15a、は，本体１０の表面１１に備えさせた複数の同軸接栓座11a〜11eの軸線を前記本体を設置すべき面４０に平行に並べた状態で配置する為に、本体の表面１１の両側と本体の底面の両側との間に夫々位置する外周側面（図２の取付孔15a、15aが開口している面のことであって、同軸接栓座11a〜11eの配列方向に位置する両側面１２、１３とは、図２のように直交する状態にある面のこと）の一面又は他面を選択的に設置すべき面に対向させる状態（例えば図５（a）のように接栓座11aを左向きにして、又は（c）のように接栓座11aを右向きにして、何れも取付面４０に接栓座11aの軸線を平行させた状態で装着する状態の例参照）で、装着可能にするものであり、取付孔15aの一方の開口部から、他方の開口部に向けて木ネジを挿通させてネジ止めできるように、本体の表面の両側に位置する上記の一方と他方の外周側面に向けて取付孔は貫通させてある。
図２の他方の取付孔15bは、前記同軸接栓座11a〜11eの突出方向を前記本体１０を設置すべき面４０に直交（例えば図５（b）の向きを参照）するように配置する為に本体の底面を設置すべき面に対向させる状態でネジ止めできるように、本体の表面から底面に向けて貫通させてある。
【００１０】
さらに、図３に示す如く，本体支持台２０を前記本体１０の両端部に取付けて，該本体１０を設置すべき取付面４０に取付ける方法でもよい。この本体支持台２０は，例えば合成樹脂材料を金型で成形してなり，本体１０における同軸接栓座の配列方向の両端部と嵌合させて着脱自在に形成した着脱部２１と，取付面に木ネジ３０で固着するための取付孔２２ａを備えた固定部２２とからなる。
図３〜図５に表れているように、前記着脱部２１は前記本体支持台２０の両端の形状に嵌合するように形成されており，本体支持台２０の両端の形状が正方形となるように形成されておれば，図４に示す如く本体１０を接栓座が上方を向いた位置（図５（b）の本体１０の底面が取付面４０に並行する状態に配置してある図参照）と、それから，手前方向の９０°回転させた状態（図５（c）の本体１０の外周側面の内の一面が取付面４０に並行する状態に配置してある図参照）に取付けることができ，さらに、奥行方向に９０°回転させた状態（図５（a）の本体１０の外周側面の内の他面が取付面４０に並行する状態に配置してある図参照）にも取付けできる等、接栓座11a〜11eの突出方向を、三態様の変化で取付できるのである。即ち、図５（a）〜（f）に表れているように、上記本体１０の底面、外周側面の一面又は外周側面の他面の３面の内の一つの面を選択的に取付面４０に並行する状態に配置して装着可能になるのである。
【００１１】
着脱部２１は、例えば図６（ａ）に示す如く，本体１０の両端部には，該本体の中心から対象位置に突起部を形成し，更に本体支持台２０には，前記突起部に対応する凹部を形成した着脱部２１を形成し，前記突起部と凹部とを嵌合させることによって，本体１０を３方向に取付可能とするようにしてもよい。
また，図６（ｂ）に示す如く，着脱部２１と本体２０の両端部を枢着するように形成すれば，前記本体１０は枢着軸を回転軸として，任意の位置に配置することが可能と成るのである。この場合は，本体支持台２０は所定の弾性を有する合成樹脂材で形成し，本体との係合において摺動固着するように形成すれば任意の位置で固着可能となるのである。
更に，本体には塗装をかけて美観を浴するようにしても良いし，本体を覆うように合成樹脂材料を成形した本体カバーを具備させたものでもよい事は言うまでもない。
【００１２】
次に図５を用いて，本発明の特長である接栓座を本体１０の一側面に同一方向を向かせて配設し，更に本体１０の取付面４０に対する取付方向を変更できることの有効性について説明する。
図５（ａ），（ｂ），（ｃ）には分配器１を平面に配設する場合を示し，図５（ｄ），（ｅ），（ｆ）には分配器１を壁面に配設する場合を示す。
これらの図からもわかるように，接栓座が上面と下面とに分かれて配設されていなくて同一方向を向いて配設されているので，接栓座が上面と下面とに分かれた配設された分配器のように，それぞれの接栓座に接続された同軸ケーブルを所定の方向に配設するために，該同軸ケーブルの最小曲げ半径を考慮しながら曲げて配設することによって，分配器の周辺には同軸ケーブルを曲げて配線するために必要なスペースが半分程となる。またこれによって図５の（ａ），（ｃ），（ｄ），（ｆ）に示すように，取付面４０の一方に壁面や障害物がある場合でも，該壁面等に分配器を近接させて配設することができるのである。更に図６（ｃ），（ｅ）に示すように，取付面４０が狭くて，壁面や障害物等が両方から近接している場合であっても，接栓座の方向を取付面４０に直交する方向に配設できるので，設置場所を選ばない汎用性の高い分配器を提供できるのである。
【００１３】
次に本発明の分配器をテレビ受信システムにおいて使用した例を説明する。
図７（ａ）は本発明の分波器１の本体１０を例えばテレビ受信器等の背面に配設した例を示す。
テレビ端子５６から同軸ケーブルを介して引き込まれたテレビ信号は，分配器１に入力される。この分配器は４分配器であり，出力端子の内の３つは，テレビ受信機５０に具備された地上ディジタル放送信号の入力端子５１と，ＶＨＦ放送信号と地上アナログ放送信号の入力端子５２と，ＢＳ／ＣＳ衛星放送信号の入力端子とにそれぞれ同軸ケーブルを介して供給される。
出力端子の残りの１つには分波器５５が接続されている。この分波器５５は，ＶＨＦ及びＵＨＦ信号とＢＳ／ＣＳ信号とを分波して出力するものであり，この分波器５５の出力は同軸ケーブルを介して，例えばＶＴＲ６０のＶＵ入力端子６０ａとＢＳ／ＣＳ入力端子に入力されている。尚６５はＤＶＤレコーダー等である。
図７（ｂ）は分配器１をＡＶラック等に収納する場合を示している。この実施例は高さ方向に制限のあるＡＶラックに効率よく分配器を配設する例を示しており，ＡＶラックの側面を取付面４０として，分配器１の接栓座を取付面に直交する方向に対応させて取り付けることにより，狭い場所にも容易に配設することができるのである。
上記実施例では、テレビ端子５６から同軸ケーブルを介して引き込まれたテレビ信号は，分配器１の最も左側の接栓座に入力されており、残る右側の複数の接栓座には、周知のように夫々他の機器に連なる同軸ケーブルが接続されている。
このような結線状態において、ＡＶラック内の機器の配置換えの必要が生じた場合には、上記図７（ｂ）の状態においては、分配器１の最も左側の接栓座に接続されている「テレビ端子５６に連なる同軸ケーブル」の位置を変更する等の煩わしい作業を必要とすることなくして、図２に現われている取付孔15a、15bの向きを利用して（又は図５の（a）〜（f）に現われている接栓座の突出方向の三態様を参照して）、分配器１を、接栓座の突出方向が上向きになるようにしたり、或は、下向きになるようにしたりする等して、前記の三態様の内から一つの態様を選択して、その向きを同軸ケーブルの向きと共に、任意の方向に手軽に変更して、上記ＡＶラック内の機器の好ましい配置換えをすればよい。
【００１４】
このように本発明の分岐及び分配器によれば，接栓座の取り付け方向を本体１０の一側面に一体的に形成し，且つ，接栓座の方向を取付面４０に直交する方向に配設したり，接栓座の方向を取付面４０に並行する一方向に配置したり、取付面４０に並行する他方向に配置したりして、回転自在に設置することができるので，該分岐及び分配器を取付ける取付面４０が狭くて，壁面や障害物等が近接している場合であっても，設置場所に合わせて配設可能な汎用性の高い分配器を提供できるのである。
【図面の簡単な説明】
【００１５】
【図１】分岐及び分配器の本体を示す斜視図である。
【図２】分岐及び分配器の本体の異なる実施例を示す。
【図３】本発明に係る分岐及び分配器の実施形態を示す斜視図である。
【図４】本発明に係る分岐及び分配器の異なる使用例を示す。
【図５】本発明に係る分岐及び分配器の異なる実施例を示す。
【図６】図３に示すＡ−Ａ線方向から見たときの側面図を示し，本体の取付方向による使用例を示す。
【図７】本発明の分岐及び分配器を使用したテレビ受信システムのシステム例を示す。
【符号の説明】
【００１６】
１…分配器（分岐器），１０…本体，１１…接栓座取付面，１１ａから１１ｅ…接栓座，１２…側面（嵌合部），１３…側面（嵌合部），１５…取付孔，２０…本体支持台，２１…着脱部，２２…固定部，２２ａ…取付孔，３０…取付ネジ，４０…取付面，５０…テレビ受信機，５１…地上ディジタル放送信号入力端子，５２…ＶＨＦ／ＵＨＦ入力端子，５３…ＢＳ／ＣＳ入力端子，５５…ＶＵ／ＢＳ（ＣＳ）分波器，５６…テレビ端子，６０…ＶＴＲ，６０ａ…ＶＵ入力端子，６０ｂ…ＢＳ／ＣＳ入力端子，６５…ＤＶＤレコーダー，
【図１】
0004575058.tif 000002
【図２】
0004575058.tif 000003
【図３】
0004575058.tif 000004
【図４】
0004575058.tif 000005
【図５】
0004575058.tif 000006
【図６】
0004575058.tif 000007
【図７】
0004575058.tif 000008